【手続補正書】
【提出日】平成19年5月29日(2007.5.29)
【手続補正１】
【補正対象書類名】明細書
【補正対象項目名】請求項４
【補正方法】変更
【補正の内容】
【請求項４】  遊技盤の遊技領域に遊技球を発射して遊技が行なわれる弾球遊技機であって、
所定の始動条件の成立にもとづいて表示結果の導出表示をする可変表示装置と、
前記表示結果の導出表示に関わる演出を実行する導出表示演出実行手段とを備え、
前記導出表示演出実行手段は、
遊技者からの指示を検出する指示検出手段と、
前記始動条件の成立から該成立にもとづき表示結果が導出表示されるまでの間における所定の受付期間中に前記指示検出手段が検出した遊技者からの演出指示により複数の演出のうちから演出の選択を受付け、該演出指示が、導出される表示結果に関与しているかのような擬似参加演出を行なう擬似参加演出実行手段とを含み、
前記擬似参加演出実行手段は、所定の特典付与条件が成立したことを条件として、前記特典付与条件が未成立のときには選択不可能である特別な演出を選択可能にする特典付与手段を含むことを特徴とする、弾球遊技機。
【手続補正２】
【補正対象書類名】明細書
【補正対象項目名】００１２
【補正方法】変更
【補正の内容】
【００１２】
（４）  遊技盤（遊技盤６）の遊技領域（遊技領域７）に遊技球（パチンコ玉）を発射して遊技が行なわれる弾球遊技機（パチンコ遊技機１）であって、
所定の始動条件（たとえば、始動入賞等）の成立にもとづいて表示結果の導出表示をする可変表示装置（可変表示装置８）と、
前記表示結果の導出表示に際して演出を実行する導出表示演出実行手段（図３６参照）とを備え、
前記導出表示演出実行手段は、
遊技者からの指示を検出する指示検出手段（たとえば、光センサ６１，６２，６３等）と、
前記始動条件（たとえば、始動入賞等）の成立から該成立にもとづき表示結果が導出表示されるまでの間における所定の受付期間中に前記指示検出手段が検出した遊技者からの演出指示により複数の演出のうちから演出の選択を受付け（図４１等参照）、該演出指示が、導出される表示結果に関与しているかのような擬似選択演出（図３８等参照）を行なう擬似選択演出実行手段（図３６等）とを含み、
前記擬似参加演出実行手段は、所定の特典付与条件が成立したことを条件として、前記特典付与条件が未成立のときには選択不可能である特別な演出（図４５等参照）を選択可能にする特典付与手段（図３６のＳＵ０１参照）を含む。
【手続補正３】
【補正対象書類名】明細書
【補正対象項目名】０１８４
【補正方法】変更
【補正の内容】
【０１８４】
かかる処理がなされることにより、遊技者が選択したことが選択結果として反映されていることを認識でき、選択通りに演出内容が変更されていることを視認しやすい。また、選択しようとする演出内容ではどのような演出が行なわれるのか遊技者は予想することができる。なお、かかる処理は、前述した受付期間中であれば選択する選択肢の変更ができることと同様に、再度いずれかの選択センサが検出されればその選択フラグにもとづく演出の一部を表示し、タイマＴ１がタイムアップするまで表示が行なわれる。また、前述した演出の一部とは、選択結果や演出内容の説明等を示すメッセージによる表示であってもよい。表示方法としては、選択時画面がみずらい等の悪影響を及ぼさないために選択画面の背景に透かして表示してもよく、加えて、選択した演出の特徴的な部分をトレース画像（たとえば、「カーブ」選択時にカーブの軌道，「打率２００の右打者」選択時にキャラクタの態様を大根切り打法のスイングをしている態様に変化させる）の表示として何度も繰り返し表示してもよい。
【手続補正４】
【補正対象書類名】明細書
【補正対象項目名】０２１１
【補正方法】変更
【補正の内容】
【０２１１】
前述したように受付期間中において選択可能な演出態様が表示される際に、その演出態様の内容（どのような演出が行なわれるのか）が遊技者にとってわかるように画面表示・ランプ点灯・遊技音等を駆使して報知がなされる。これにより、変更可能な演出態様がわかりやすいだけでなく、その演出態様の内容も把握することができ遊技者の期待を裏切る演出が行なわれる不都合の発生を防止することができる。
【手続補正５】
【補正対象書類名】明細書
【補正対象項目名】０２２０
【補正方法】変更
【補正の内容】
【０２２０】
前述したように受付期間中に遊技者からの選択がなかった場合に演出態様を予め定められた演出に決定している。これにより、未選択によるエラーの発生を防止するとともに、未選択時に備えて新たにランダムカウンタ等を設ける必要が無く制御負担を軽減することができる。
【手続補正６】
【補正対象書類名】明細書
【補正対象項目名】０２７６
【補正方法】変更
【補正の内容】
【０２７６】
（２）  また、前述した実施形態においては、演出選択遊技における受付期間中に遊技者からの選択がなかった場合は、予め定められた演出態様に決定する（指示無時変更手段）実施について説明したが、これに限らず、たとえば、大当り記憶バッファに記憶されている中に、大当りとなる始動変動が存在する場合は、遊技者からの選択がなされた場合であっても遊技者からの選択を受付けずに予め定められた演出態様に決定（強制変更手段）してもよい。これにより、遊技者は、自らの選択が受付けられず不信に思うが、その後に大当りが発生したことで大当たりと演出選択遊技が関連している場合もあることがわかるとともに、演出選択遊技の進行が遊技者の思い通りに進む場合と、進まない場合の双方を楽しむことができ興趣が向上する。
【手続補正７】
【補正対象書類名】明細書
【補正対象項目名】０２８０
【補正方法】変更
【補正の内容】
【０２８０】
（６）  また、前述した実施形態においては、演出選択遊技画面で受付期間中（有効期間内）に選択が行なわれた場合に、その選択が確実に光センサにより検出されていることを報知する実施を説明した。たとえば、選択がなされた場合に、画面表示は選択された選択肢が強調表示されるとともにその選択肢の内容に関連する画像（たとえば、野球バット等）を表示し，遊技音として選択時に「ピポッ」と検出音を鳴らし，ランプ点滅間隔を短くし遊技者に報知してもよい。これにより、選択したことが遊技者にとって確認でき、また、遊技者は選択動作をしているにもかかわらず報知情報がなされない場合等は、光センサが故障してることを早期に発見することができる。
【手続補正８】
【補正対象書類名】明細書
【補正対象項目名】０２８４
【補正方法】変更
【補正の内容】
【０２８４】
（１０）  また、前述した実施の形態においては、受付期間中に選択された演出態様は、その受付期間が終了したことにもとづいて決定される実施を説明し、この受付期間についても、所定時間（たとえば、Ｔ１）経過したことに終了する場合と希望選択指示（たとえば、「選択決定」の選択肢を選択、２回選択）の場合を説明したが、これに限らず、打玉が遊技領域の所定領域を通過または所定入賞口に入賞した場合に終了させてもよい。前者は、遊技者の意思により、または、それに近い状態で受付期間を終了させ選択を決定させることができるが、後者は、遊技者の意思通りには受付期間が終了しないため思い通りに選択が決定されない場合も発生する。これにより、スリルと興奮を味わうことができ興趣を向上させることができる。
【手続補正９】
【補正対象書類名】明細書
【補正対象項目名】０２８９
【補正方法】変更
【補正の内容】
【０２８９】
（１５）  また、前述した実施の形態においては、遊技者の選択により演出態様の変更を行なうことができる演出選択遊技が開始される前に、これから演出選択画面へ移行することができる旨を案内するためのガイド表示と移行させるか否かを受付期間中に決定させる選択肢を表示する演出選択案内遊技の実施について説明したが、これに限らず、演出選択案内遊技において受付期間のタイム制御を行なわないように構成してもよい。このように構成することにより、遊技者が遊技を開始する際には、演出選択画面へ移行することができる旨を案内するためのガイド表示画面の表示がなされているため、遊技者のお気に入りの演出態様に変更し、その演出態様で遊技を行なうことができるため興趣が向上する。
【手続補正１０】
【補正対象書類名】明細書
【補正対象項目名】０２９５
【補正方法】変更
【補正の内容】
【０２９５】
（２１）  また、前述した実施の形態においては、演出選択遊技や選択遊技中の選択受付期間中のみセンサ判定を有効に設定し、それ以外の場合は誤検出防止のためセンサ判定を無効に設定しているが、これに限らず、常時センサ判定を有効に設定し、図柄変動中に光センサの検出があった場合に、光センサの検出があったことを画像や遊技音やランプ点灯を用いて報知するようにしてもよい。たとえば、左図柄のみ停止し、中・右図柄変動中である場合に、左センサを検出させると「右図柄とまれ！」といったコメントの表示がなされ、遊技音として太鼓のような「ドン」という音が発生され、ランプを激しく点灯させるようにしてもよい。これにより、光センサを検出させたタイミングと右図柄が停止したタイミングが偶然同時であった場合には、遊技者が光センサを検出させたことにより右図柄の停止が行なわれたかのような図柄演出が行なわれるため、遊技者の興趣が向上する。また、上記の場合で、左図柄と右図柄が同じ図柄で停止されリーチ状態になった場合に、光センサを検出させることで「スーパーリーチになれ！」といったコメントの表示を行なってもよい。さらに、中図柄変動中に「中図柄とまれ！」といったコメントの表示を行なってもよい。これにより、遊技中常に遊技者自ら積極的に遊技に参加することができ、飽きがこず、興趣が向上する。